(57)【要約】開示されているのは、両手で文字を簡便に入力し、限られた数のキーで可能な限り多くの文字を入力するための方法と装置である。【選択図】図１
2009532800.tif 000002
【特許請求の範囲】
【請求項１】
デュアル入力装置であって、
限られた数の左手用キーを持つ第１キー選択部と、
前記第１キー選択部と同数の右手用キーを持つ第２キー選択部と、
前記第１または第２キー選択部によって選択されたキーを分析・処理するキー処理部と、を含むことを特徴とするデュアル入力装置。
【請求項２】
請求項１のデュアル入力装置であって、前記キー処理部が、テキストモードで文字を、少なくとも前記第１及び第２キー選択部の限られた数のキーの一部に割り当て、選択されたキーを出力することも可能であることを特徴とし、キーボードモードで、コンピュータキーボードのキーを、少なくとも前記第１及び第２キー選択部の限られた数のキーの一部に割り当て、前記選択されたキーに対応する動作を処理することも可能であることを特徴とする請求項１のデュアル入力装置。
【請求項３】
前記キーボードモードで前記第１または第２キー選択部によって選択されたキーが入力されると、前記キー処理部が前記コンピュータキーボードの他のキーを、少なくとも限られた数のキーの一部に再割り当てることを特徴とする請求項２のデュアル入力装置。
【請求項４】
前記キー処理部が、前記キーボードモードで前記コンピュータキーボードの組み合わせキーを、少なくとも前記第１及び第２キー選択部の限られた数のキーの一部に割り当て、前記第１及び第２キー選択部が同一キー配列を有することを特徴とする請求項３のデュアル入力装置。
【請求項５】
前記組み合わせキーが、少なくとも、「Shift（シフト）」キー、「Ctrl（コントロール）」キー、「Alt（オルト）」キー、及び「Window（ウィンドウ）」キーのいくつかを含むことを特徴とする請求項４のデュアル入力装置。
【請求項６】
前記キーボードモードで前記組み合わせキーが割り当てられたままになっていることを特徴とする請求項５のデュアル入力装置。
【請求項７】
前記組み合わせキーが、選択されるとトグルされることを特徴とする請求項４の装置。
【請求項８】
前記キーボードモードで前記第１及び第２キー選択部によって選択された機能キーが入力されると、前記キー処理部が前記コンピュータキーボードの機能キーＦ１〜Ｆ１２を、前記第１及び第２キー選択部のそれぞれにおける限られた数のキーの１５のキーに割り当てることを特徴とする請求項３のデュアル入力装置。
【請求項９】
前記キーボードモードで前記選択部によって選択されたカーソルキーが入力されると、前記キー処理部が前記コンピュータキーボードの移動キーを、前記第１及び第２キー選択部のそれぞれにおける限られた数のキーの一部のキーに割り当てることを特徴とする請求項３のデュアル入力装置。
【請求項１０】
前記移動キーが、少なくとも、「←（左矢印）」キー、「→（右矢印）」キー、「↑」キー、「↓」キー、「Home（ホーム）」キー、「End（エンド）」キー、「Page-up（前ページ）」キー、及び「Page-down（次ページ）」キーのいくつかを含むことを特徴とする請求項９のデュアル入力装置。
【請求項１１】
前記キーボードモードで前記第１または第２キー選択部によって選択された文字割り当てキーが入力されると、前記キー処理部が第１文字セット、第２文字セット、または第３文字セットに属するアルファベットを、前記第１及び第２キー選択部のそれぞれにおける限られた数のキーの一部に対して一対一の割り当てを行うことを特徴とする請求項３のデュアル入力装置。
【請求項１２】
前記キーボードモードで前記文字割り当てキーが再度入力されると、前記キー処理部が別の文字セットを再割り当てることを特徴とする請求項１１のデュアル入力装置。
【請求項１３】
前記キーボードモードで前記第１または第２キー選択部によって選択された文字割り当てキーが入力されると、前記キー処理部が第１文字セット、第２文字セット、及び第３文字セットに属するアルファベットを、前記第１及び第２キー選択部のそれぞれにおける限られた数のキーの一部に対して一対一の割り当てを行うことを特徴とする請求項３のデュアル入力装置。
【請求項１４】
請求項３のデュアル入力装置であって、前記キーボードモードで前記第１または第２キー選択部によって選択された文字割り当てキーが入力されると、前記キー処理部が前記コンピュータキーボードのアルファベットを、前記第１及び第２キー選択部のそれぞれにおける限られた数のキーの中の３ｘ３キー配列の９キーに割り当てることを特徴とし、前記アルファベットが左手で入力されるアルファベットからなる第１グループと右手で入力されるアルファベットからなる第２グループとに分けられ、前記第１グループに属するアルファベットが前記３ｘ３配列の左列または中央列上に配設され、前記第２グループに属するアルファベットが右列または中央列上に配設されることを特徴とし、使用頻度に基づいて分けられ、第１文字セット、第２文字セット、及び第３文字セットに属するアルファベットが１つずつ割り当てられることを特徴とする請求項３のデュアル入力装置。
【請求項１５】
前記キーボードモードで前記「Shift（シフト）」キーがトグルされると、前記キー処理部がアルファベットの小文字または大文字を割り当てることを特徴とする請求項１１〜１４の任意の一項に係るデュアル入力装置。
【請求項１６】
前記キーボードモードで前記第１または第２キー選択部によって選択された数字割り当てキーが入力されると、前記キー処理部が前記コンピュータキーボードの数字/記号を持つキーを、前記第１ないしは第２キー選択部のそれぞれにおける限られた数のキーの一部に割り当てることを特徴とする請求項３のデュアル入力装置。
【請求項１７】
前記「Shift（シフト）」キーがトグルされると、前記キー処理部が数字/記号を持つキーを有効にするので、前記数字/記号を交互に入力できるようになっていることを特徴とする請求項１６のデュアル入力装置。
【請求項１８】
前記キーボードモードで前記第１または第２キー選択部によって選択されたキーが入力されると、前記キー処理部が２つの記号ないしは前記コンピュータキーボードの残りのキーを、前記第１ないしは第２キー選択部のそれぞれにおける限られた数のキーの一部に割り当てることを特徴とする請求項１６のデュアル入力装置。
【請求項１９】
前記「Shift（シフト）」キーがトグルされると、前記キー処理部が２つの記号を持つキーを有効にするので、前記２つの記号を交互に入力できるようになっていることを特徴とする請求項１８のデュアル入力装置。
【請求項２０】
前記残りのキーが少なくとも、「Esc（エスケープ）」キー、「Tab（タブ）」キー、「Enter（入力）」キー、「Print-screen（画面印刷）」キー、「Scroll-lock（スクロール-ロック）」キー、及び「Pause-break（一時停止）」キーのいくつかを含むことを特徴とする請求項１８のデュアル入力装置。
【請求項２１】
前記キーボードモードで前記第１または第２キー選択部によって選択された電源キーが入力されると、前記キー処理部が電源関連キーを、前記第１ないしは第２キー選択部のそれぞれにおける限られた数のキーの一部に割り当てることを特徴とする請求項２のデュアル入力装置。
【請求項２２】
前記電源関連キーが少なくとも、「Reboot（リブート）」キー、「Log-off（ログオフ）」キー、「User-switch（ユーザー切り替え）」キー、「Shut-down（シャットダウン）」キー、「Standby（スタンバイ）」キー、及び「Hibernate（ハイバネート）」キーのいくつかを含むことを特徴とする請求項２１のデュアル入力装置。
【請求項２３】
前記キーボードモードで前記第１または第２キー選択部によって選択されたアプリケーションキーが入力されると、前記キー処理部がアプリケーションキーを、前記第１ないしは第２キー選択部のそれぞれにおける限られた数のキーの一部に割り当てることを特徴とする請求項３のデュアル入力装置。
【請求項２４】
前記第１または第２選択部によって選択されたモード切り替えキーが入力されると、前記キー処理部が前記キーボードモードと前記テキストモード間を切り替えることを特徴とする請求項３のデュアル入力装置。
【請求項２５】
請求項３のデュアル入力装置であって、前記テキストモードで前記キー処理部が前記コンピュータキーボードのアルファベットを、前記第１及び第２キー選択部のそれぞれにおける限られた数のキーの中の３ｘ３キー配列の９キーを割り当てることを特徴とし、前記アルファベットが左手で入力されるアルファベットからなる第１グループと右手で入力されるアルファベットからなる第２グループとに分けられ、前記第１グループに属するアルファベットが前記３ｘ３配列の左列または中央列上に配設され、前記第２グループに属するアルファベットが右列または中央列上に配設されることを特徴とし、使用頻度に基づいて分けられ、第１文字セット、第２文字セット、及び第３文字セットに属するアルファベットが１つずつ割り当てられ、前記コンピュータキーボードの隣接キーに割り当てられたアルファベットが単一のキーまたは隣接キーに割り当てられることを特徴とする請求項３のデュアル入力装置。
【請求項２６】
前記第１または第２キー選択部を介して、前記テキストモードで所定のキーが入力されると、前記キー処理部がアルファベットモード、数字モード、及び記号モードを順次に前記キー選択部に割り当てることを特徴とする請求項３のデュアル入力装置。
【請求項２７】
前記第１または第２キー選択部を介して、前記テキストモードで所定のキーが入力されると、前記キー処理部がアルファベットモード、言語モード数字モード、及び記号モードを、順次に前記キー選択部に割り当てることを特徴とする請求項３のデュアル入力装置。
【請求項２８】
コンピュータキーボード上に設けられた文字を入力するための方法であって、テキストモードで文字を、少なくとも左手用及び右手用の第１及び第２キー選択部のそれぞれにおける限られた数のキーの一部にそれぞれ割り当て、選択されたキーの文字を出力し、前記第１及び第２キー選択部が同数のキーを持つことと、キーボードモードで前記コンピュータキーボードのキーを、少なくとも前記第１及び第２キー選択部のそれぞれにおける限られた数のキーの一部に割り当て、前記選択されたキーに対応する動作を処理すること、を含むことを特徴とする文字を入力するための方法。
【請求項２９】
前記キーボードモードで前記第１または第２キー選択部によって選択されたキーが入力されると、前記コンピュータキーボードのキーの割り当てが前記コンピュータキーボードの他のキーを、少なくとも前記第１及び第２キー選択部のそれぞれにおける限られた数のキーの一部に再割り当てることを含むことを特徴とする請求項２８の方法。
【請求項３０】
請求項２８または２９の方法をコンピュータ上で実行するプログラムを持つコンピュータに読み込み可能な媒体。
【発明の詳細な説明】
【技術分野】
【０００１】
本発明は文字を入力するための方法と装置に関するものである。
【背景技術】
【０００２】
先端半導体技術は、携帯電話やパーソナルデジタルアシスタント（ＰＤＡ）などのよりコンパクトで高性能な携帯端末をもたらしたが、前記携帯端末は、ユーザーが文字を入力できるように文字入力手段を有する。前記携帯端末は通常シングル入力手段を有し、その結果、大幅な入力速度の低減を招いている。
【０００３】
一方、前記入力手段は、コンピュータキーボードと同数の入力キーを必要とするコンパクトな携帯端末の障害物となっている。
【発明の開示】
【発明が解決しようとする課題】
【０００４】
かかる障害を回避するため、従来の携帯端末は可能な限りサイズの縮少されたコンピュータキーボードを有する。しかしながら、前記キーボードのサイズ縮小には限界がある。
【課題を解決するための手段】
【０００５】
本発明は両手で文字を簡便に入力するための方法と装置を提供する。
【０００６】
本発明はさらに、限られた数のキーで、コンピュータキーボード上に設けられた文字を入力するための方法と装置を提供する。
【０００７】
本発明の追加特徴を以下に説明するが、部分的には本明細書で明らかであろうし、本発明の実施を通じて分かるであろう。
【発明の効果】
【０００８】
本発明によれば、両手を用いて文字を簡便に入力することが可能である。加えて、限られた数のキーで、コンピュータキーボードの上に設けられた全ての文字を入力することが可能である。さらに、アプリケーションまたはユーザー定義の機能に割り当てられるキーを提供することも可能である。
【発明を実施するための最良の形態】
【０００９】
本発明は以下を含むデュアル入力装置を開示する。限られた数の左手用キーを持つ第１キー選択部と、前記第１キー選択部と同数の右手用キーを持つ第２キー選択部と、前記第１または第２キー選択部によって選択されたキーを分析・処理するキー処理部。
【００１０】
前記キー処理部は、テキストモードで文字を、少なくとも前記第１及び第２キー選択部の限られた数のキーの一部に割り当て、選択されたキーを出力することも可能であり、キーボードモードで、コンピュータキーボードのキーを、少なくとも前記第１及び第２キー選択部の限られた数のキーの一部に割り当て、前記選択されたキーに対応する動作を処理することも可能である。
【００１１】
前記キーボードモードで前記第１または第２キー選択部によって選択されたキーが入力される際、前記キー処理部は前記コンピュータキーボードの他のキーを、少なくとも限られた数のキーの一部に再割り当てることも可能である。
【００１２】
また、本発明は、以下を含む、コンピュータキーボード上に設けられた文字を入力するための方法を開示する。テキストモードで文字を、少なくとも左手用及び右手用の第１及び第２キー選択部のそれぞれにおける限られた数のキーの一部にそれぞれ割り当て、選択されたキーの文字を出力し、前記第１及び第２キー選択部が同数のキーを持つことと、キーボードモードで前記コンピュータキーボードのキーを、少なくとも前記第１及び第２キー選択部のそれぞれにおける限られた数のキーの一部に割り当て、前記選択されたキーに対応する動作を処理すること。
【００１３】
前記キーボードモードで前記第１または第２キー選択部によって選択されたキーが入力される際、前記コンピュータキーボードのキーを割り当てるステップには、前記コンピュータキーボードの他のキーを、少なくとも前記第１及び第２キー選択部のそれぞれにおける限られた数のキーの一部に再割り当てることを含んでもよい。
【００１４】
当然のことながら、以上の一般説明と以下の詳細説明とは両方ともに例示的かつ注釈的なものであり、本発明のさらに詳細な説明の提供を意図するものである。
【００１５】
［実施形態］
以下、本発明を、本発明の例示的実施形態を示す添付図面を参照してより詳細に説明するが、本発明は、多くの異なる形態で例示することも可能であり、本明細書中で示した実施形態に限定されるものと解釈されるべきでなく、むしろ、これらの実施形態は、この開示を徹底するとともに、当業者に本発明の範囲を完全に伝達するためになされたものである。図面では、説明をより明確にするために、層／領域の寸法及び相対寸法が誇張されている場合もある。図面では、同様の番号が同様の要素を示す。
【００１６】
当然のことながら、要素または層が別の要素または層「上に」または「に接続された」と表現される場合、それは、要素または層が別の要素または層「の直接上にある」状態または「に直結している」状態を意味することもあり、「介在要素」または「介在層」が存在していることを意味する場合もあり得る。逆に、要素が別の要素または層「の直接上にある」または「に直結している」と表現される場合、介在する要素または層が存在しないことを意味する。
【００１７】
図１は、本発明の例示的実施形態に係るデュアル入力装置のブロック図である。
【００１８】
前記デュアル入力装置には、第１キー選択部１００、第２キー選択部２００、及びキー処理部３００が含まれる。前記第１キー選択部１００は、左手で入力される限られた数のキーからなる。前記第２キー選択部２００は、前記第１キー選択部１００と同数の右手で入力されるキーからなる。前記第１及び第２キー選択部１００，２００は、好ましくは１８キーからなり、各キーは５行ｘ３列配列（以下、５ｘ３と呼ぶ）を有する。
【００１９】
図２〜図５は本発明の例示的実施形態に係るデュアル入力装置を図示するものである。
【００２０】
図２と図３はそのそれぞれが物理的なキー選択部を有するデュアル入力装置を図示するものである。図４と図５は、そのそれぞれがソフトウェアにキー選択部を有するデュアル入力装置を図示するものである。前記デュアル入力装置は第１キー選択部１００と前記第２キー選択部２００を有する。
【００２１】
図２と図３を参照すると、前記キー選択部１００，２００のキーが別に定義されている場合もあるので、前記第１及び第２キー選択部１００，２００は表示部上に表示される。実例としては、前記第１及び第２キー選択部１００，２００が、英語アルファベットモードからハングル文字モード、すなわち韓国アルファベットモードに切り替えられると、前記キー選択部１００，２００はハングル文字の子音と母音に割り当てられる必要がある。しかしながら、前記物理的なキー選択部１００，２００をハングル文字モードを有するように変更できないので、前記キー選択部１００，２００は表示部上に表示されて、前記表示部上で前記キー選択部１００，２００をハングル文字モードを有するように変更できるような状態にされる。
【００２２】
図４と図５を参照すると、前記第１及び第２キー選択部１００，２００は表示部上に表示される。この場合、前記キー選択部１００，２００が物理的に存在しないがソフトウェアに存在するので、キー選択部１００，２００をよりコンパクトにさせることが可能である。ユーザーは、前記表示部上に表示されるキーを前記キー選択部１００，２００を介して選択することができる。この場合、タッチ・スクリーン、リモートコントロール、マウス、及びジョイスティックなどの入力手段を用いてキーを入力することもできる。
【００２３】
図６と図７はデュアル入力リモートコントロールを図示するものである。
【００２４】
図６は、そのそれぞれが前記第１及び第２キー選択部１００，２００と同じ５ｘ３配列を有するキー選択部を含む、リモートコントロールを図示するものである。この場合、前記キー選択部は前記リモートコントロールに一体化される。図７は、そのそれぞれが前記第１及び第２キー選択部１００，２００と同じ５ｘ３配列を有するキー選択部を含む、分離されたリモートコントロールを図示するものである。この場合、前記キー選択部は、前記分離されたリモートコントロール内に別設される。
【００２５】
前記キー処理部３００は、前記第１または第２キー選択部１００または２００によって選択されたキーを分析・処理する。実例としては、前記キー処理部３００は、テキストモードで前記第１または第２キー選択部１００または２００によって選択されたキーに対応する文字を表示部上に表示するか、またはキーボードモードで前記第１または第２キー選択部１００または２００によって選択されたキーに対応する「エクスプローラ」を前記表示部上に表示する。前記キー処理部３００は、前記選択されたキーに応じて前記キーを再定義することも可能である。
【００２６】
図８は、それぞれが本発明の例示的実施形態に係る５ｘ３配列を有する第１及び第２キー選択部１００，２００を図示するものである。
【００２７】
図８は、テキストモードにおけるキー配列を図示するものであり、そこでは、英語のアルファベットが、少なくとも前記第１及び第２キー選択部１００，２００の一部に割り当てられる。前記テキストモードは通常、携帯端末で入力された文字を支援する。
【００２８】
図８に示すように、同一３ｘ３キー配列の英語アルファベットが、少なくとも前記第１及び第２キー選択部１００，２００のキーの一部に当初割り当てられる。ランダムに割り当てられるが、前記アルファベットは、好ましくは、図８に示すように、前記３ｘ３キー配列の９キーに割り当てられ、ユーザーが簡便かつ迅速に文字を入力できるようになる。
【００２９】
図８に示した英語のアルファベット配列は、前記ＱＷＥＲＴＹ配列と英語アルファベットの使用頻度とを考慮して設定されている。前記ＱＷＥＲＴＹ配列は、左手で入力される英語のアルファベッからなる第１グループと、右手で入力される英語のアルファベットからなる第２グループと、を有する。
【００３０】
つまり、前記第１グループは、「q」、「w」、「e」、「r」、「t」、「a」、「s」、「d」、「f」、「g」、「z」、「x」、「c」、「v」、及び「b」からなり、前記第２グループは、「y」、「u」、「i」、「o」、「p」、「h」、「j」、「k」、「l」、「n」、及び「m」からなる。前記第１グループは前記３ｘ３配列の左手または中心に載置され、前記第２グループは前記３ｘ３配列の右手または中心に載置される。
【００３１】
さらに、前記英語のアルファベットは、その使用頻度に応じて、第１文字セット、第２文字セット、及び第３文字セットに分けられ、前記ＱＷＥＲＴＹ配列における複数の英語アルファベット割り当て隣接キーは、同一キーまたは隣接キーに割り当てられる。
【００３２】
例えば、前記第１文字セットには、使用頻度が最も高い「a」、「e」、「h」、「i」、「n」、「o」、「r」、「s」、及び「t」からなる英語のアルファベットが含まれ、前記第２文字セットには、「c」、「d」、「f」、「g」、「l」、「m」、「p」、「u」、及び「w」からなる英語のアルファベットが含まれ、前記第３文字セットには、「b」、「j」、「k」、「q」、「v」、「x」、「y」、及び「z」からなる英語のアルファベットが含まれる。
【００３３】
前記それぞれの文字セットは、配列を前記ＱＷＥＲＴＹ配列に類似させるため、実際の使用頻度と異なる使用頻度を有してもよい。例えば、たとえ「y」の使用頻度が「p」、「y」よりも多少高くても前記第３文字セットに属し、「p」は前記第２文字セットに属す。
【００３４】
前述の文字配列と入力方法は韓国出願（特許出願番号２００４-８２３２６）に記載されているので、本明細書中ではその詳細な説明を省略する。
【００３５】
図８に示したキーの中でも、「Enter（入力）」キー、「Tab（タブ）」キー、「Backspace（バックスペース）」キー、及び「Space（スペース）」キーは公知であるので、本明細書中ではその詳細な説明を省略する。分離（[sep]）キーは、同一キーに割り当てられた文字の連続入力時に使用されるので、現入力文字をその次の入力文字と区別することができるようになっている。また、前記[sep]キーも公知であるので、本明細書中ではその詳細な説明を省略する。
【００３６】
モード[mode]キーは、前記テキストモードで、文字モードを変更するために使用される。例えば、図８に示した小文字モードで前記[mode]キーが入力されると、図９に示すように、前記キー処理部３００は、前記第１及び第２キー選択部１００，２００の各キーの第１文字を大文字に変更する。これは文章モードと呼ばれ、前記第１文字が大文字として入力され、残りの文字が小文字として入力される。第１文字が大文字として入力された後に、前記文字モードが前記小文字モードに変更されることが好ましい。
【００３７】
例えば、文章が当初入力される際に前記[Ewq]キーが１回、２回、及び３回押されると、大文字「E」、「W」及び「Q」がそれぞれ入力される。好ましくは、文章モードで第１大文字が入力されると、変更されたアルファベットを前記第１及び第２キー選択部１００，２００において自動的に割り当てることも可能である。例えば、文章モードで第１文字として大文字を入力するため、所定の時間が経過する前に前記[Ewq]キーが連続して押されると、英語のアルファベットは自動的に変換され、[eWq]、[ewQ]及び[Ewq]の順序に割り当てられる。
【００３８】
図９で前記[mode]キーが入力されると、前記キー処理部３００は前記文字モードを大文字モードに変更し、図１０に示すように、大文字を前記第１及び第２キー選択部１００，２００のキーに割り当てる。図１０で前記[mode]キーが入力されると、図１１に示すように、前記キー処理部３００は前記文字モードを数字モードに変更する。
【００３９】
図１１で前記[mode]キーが入力されると、図１２に示すように、前記キー処理部３００は韓国アルファベットであるハングル文字などの追加モードを割り当てる。図１２で前記[mode]キーが入力されると、前記キー処理部３００はモードを変更して図８に示した小文字モードに戻す。
【００４０】
図１３は前記テキストモードにおける記号キーモードを図示するものである。
【００４１】
図８〜図１２で前記[sym]キーが入力されると、前記キー処理部３００は、例えば、図１３に示すように、記号を前記第１及び第２キー選択部１００，２００の各キーに割り当てる。つまり、前記[sym]キーにより、前記テキストモードにおける任意の文字モードで、ユーザーは記号を入力することができる。例えば、図１３に示した記号キーモードで記号が入力されると、前記キー処理部３００は、前記記号が出力され、次いで前記モードが前文字モードに戻るように処理を行う。
【００４２】
図１２に示したハングル文字キーは、その使用頻度、連続キーボードシステムなどとの関係を考慮して割り当てられる。図１３に示した記号キーは、好ましくは、数字、使用頻度などとの類似性を考慮して割り当てられる。図１２と図１３に示した前述のハングル文字配列と記号配列は、前述の韓国出願（特許出願番号２００４-８２３２６）に記載されているので、本明細書中ではその詳細な説明を省略する。
【００４３】
以下、キーボード文字を入力のための方法を説明する。
【００４４】
図１４はテキストモードがキーボードモードに変更される際に割り当てられるキーを図示するものである。
【００４５】
図８〜図１３に示したテキストモードで[keybd]キーが入力されると、前記キー処理部３００は前記テキストモードをキーボードモードに変更し、コンピュータキーボードのキーを、少なくとも、前記第１及び第２キー選択部１００，２００のキーの一部に割り当てる。図１４に示すように、前記第１及び第２キー選択部１００，２００には、「Esc（エスケープ）」キー、「Ins（挿入）」キー、「Del（削除）」キー、「Backspace（バックスペース）」キー、「Combination（組み合わせ）」キーなどが含まれる。前記「Combination（組み合わせ）」キーの例には、「Shift（シフト）」キー、「Ctrl（コントロール）」キー、「Alt（オルト）」キー、及び「Window（ウィンドウ）」キーが含まれ、それらは他のキーとともに使用され、トグル動作される。
【００４６】
前記キー処理部３００は、前記「Esc（エスケープ）」キー、「Ins（挿入）」キー、「Del（削除）」キー、「Backspace（バックスペース）」キー、及び「Combination（組み合わせ）」キーを前記コンピュータキーボードの処理方式と同じ方式で処理する。前記キー処理部３００は、前記「Combination（組み合わせ）」キーが入力されると、前記「Combination（組み合わせ）」キー上に書き込まれた文字の色または陰影を変更するので、前記トグル動作状態を識別することができるようになっている。
【００４７】
図１５は図１４に関連するコンピュータキーボードを図示するものである。
【００４８】
図１４に示したキーは、図１５に示したコンピュータキーボード上で太線表示されているキーである。
【００４９】
図１６は前記キーボードの、割り当てられた機能キーを図示するものである。
【００５０】
図１４で[fn]キーが入力されると、図９に示すように、前記キー処理部３００は前記コンピュータキーボードのＦ１〜Ｆ１２キーを割り当てる。前記キー処理部３００は、別々に入力されるかまたは前記「Combination（組み合わせ）」キーとともに入力されるＦ１〜Ｆ１２キーを処理する。例えば、Ｆ１２キーがＭＳ-Ｗｏｒｄ（登録商標）プログラム上で入力されると、前記キー処理部３００は、Ｆ１２キーが前記コンピュータキーボード上で入力されるときのように、「名前を付けて保存する」と名付けられたウィンドウをロードする。
【００５１】
図１７は図１６に関連するコンピュータキーボードを図示するものである。
【００５２】
図１６に示した機能キーは、図１７に示したコンピュータキーボード上で太線表示されているキーである。
【００５３】
図１８は前記キーボードの、割り当てられた移動キーを図示するものである。
【００５４】
図１４に示したカーソル[cursor]キーが入力されると、図１４に示すように、前記キー処理部３００は、「←（左矢印）」キー、「→（右矢印）」キー、「↑（上矢印）」キー、「↓（下矢印）」キー、「Home（ホーム）」キー、「End（エンド）」キー、「Page-up（前ページ）」キー、及び「Page-down（次ページ）」キーなどのカーソル移動キーを前記コンピュータキーボード上に割り当てる。前記キー処理部３００は、前記移動キーが前記キーボード上で入力されるときのように、入力された[cursor]キーを処理する。
【００５５】
図１９は図１８に関連するコンピュータキーボードを図示するものである。
【００５６】
図１８に示した移動キーは、図１９に示したキーボード上で太線表示されているキーである。
【００５７】
図２０〜図２５は前記キーボードのアルファベット入力キーの割り当てを図示するものである。
【００５８】
図１４に示した[ewq]キーが入力されると、前記キー処理部３００は前記コンピュータキーボードの一部の英語アルファベットを割り当てる。例えば、図１４に示した[ewq]キーが入力されると、第１文字セット、第２文字セット、または第３文字セットに属するアルファベットは、前記キー処理部３００によって前記キーに対して一対一で割り当てられる。前記[ewq]キーが再度入力されると、現文字セット以外の文字セットに属するアルファベットは、前記キー処理部３００によって前記キーに対して一対一で割り当てられる。
【００５９】
好ましくは、前記[ewq]キーが入力されるたびに、第１文字セット、第２文字セット、及び第３文字セットに属するアルファベットは、この順序で前記キー処理部３００によって順次に前記キーに対して一対一で割り当てられる。つまり、前記[ewq]キーが最初に入力されると、図２０に示すように、前記第１文字セットに属するアルファベットは、前記キー処理部３００によって前記キーに対して一対一で割り当てられる。図２０で前記[ewq]キーが再度入力されると、図２１に示すように前記第２文字セットに属するアルファベットは前記キーに対して一対一で割り当てられる。加えて、図２１で前記[ewq]キーが再度入力されると、図２２に示すように、前記第３文字セットに属するアルファベットは前記キーに対して一対一で割り当てられる。
【００６０】
上記のように、前記第１、第２及び第３文字セットは、好ましくは、英語アルファベットの使用頻度基づいて分けられる。従って、前記第１文字セットに属するアルファベットは、使用頻度が最も高い「a」、「e」、「h」、「i」、「n」、「o」、「r」、「s」、及び「t」である。前記第２文字セットに属するアルファベットは、「c」、「d」、「f」、「g」、「l」、「m」、「p」、「u」、及び「w」である。前記第３文字セットに属するアルファベットは、「b」、「j」、「k」、「q」、「v」、「x」、「y」、及び「z」である。これらアルファベットは、好ましくは、図８に示したアルファベット配列に配列される。
【００６１】
図２０〜図２１で前記[shift]キーが入力されると、図２３〜図２５に示すように、前記キー処理部３００は前記[shift]キーをトグルし、小文字を大文字に変換する。これは、前記キーボード上で前記「Shift（シフト）」キーと英語のアルファベットキーとがともに押される場合、または「CapsLock（キャップスロックキー）」がオン状態で英語のアルファベットキーが押される場合と同様である。つまり、前記[shift]キーが有効にされた状態で、英語のアルファベットキーが押されると、大文字は前記表示部上に表示される。
【００６２】
よって、ユーザーは図２３〜図２５に示したキー選択部１００，２００のキー配列上で大文字アルファベットを入力することができ、前記キー処理部３００は前記入力されたアルファベットを処理し、前記表示部上に表示する。
【００６３】
前記[shift]キーに加えて、英語のアルファベットは、[ctrl]キー、[alt]キー及び[windows]キーなどの他の「Combination（組み合わせ）」キーとの組み合わせで入力することもできる。例えば、前記[windows]キーが有効にされ、アルファベット「e」が入力されると、前記キー処理部３００は、前記コンピュータキーボード上で前記「Window（ウィンドウ）」キーとアルファベット「e」キーとが押されるときのように前記「Explorer window（エクスプローラウィンドウ）」をロードする。
【００６４】
別の例では、図１４に示した[ewq]キーが入力されると、前記キー処理部３００は図８に示した英語のアルファベット配列を割り当てるので、前記キーに割り当てられたアルファベットの１つを入力できるようになる。実例としては、コンピュータが３ボタンマウスで使用されると、各キーの第１アルファベットは前記マウスを左クリックすることによって入力され、第２アルファベットは前記マウスの中ボタンをクリックすることによって入力され、さらに第３アルファベットは前記マウスを右クリックすることによって入力される。
【００６５】
より好ましくは、図１４に示した[ewq]キーが入力されると、前記キー処理部３００はアルファベットを、前記キー選択部１００，２００の限られた数のキーの中で３ｘ３キー配列の９キーに割り当てる。この場合、前記コンピュータキーボード上のアルファベットは、左手で入力されるアルファベットからなる第１グループと、右手で入力されるアルファベットからなる第２グループと、に分けられる。前記第１グループに属するアルファベットは前記３ｘ３配列の左列または中央列上に配設され、前記第２グループに属するアルファベットは右列または中央列上に配設される。前記第１、第２及び第３文字セットに属するアルファベットは、各アルファベットの使用頻度に基づいて分けられ、１つずつ割り当てられる。
【００６６】
かくして配設されたアルファベットのキー配列は、図８の配列と同じである。これにより、文字を効率的に入力することができる。
【００６７】
図８に示すように、前記キーボードモードでアルファベットが割り当てられると、図８または図１０に示すように、前記[shift]キーをトグルすることによって、小文字または大文字を入力できるようになる。
【００６８】
図２６〜図２７はキーボードの数字キーと記号キーの割り当てを図示するものである。
【００６９】
図１４、図１６、図１８、及び図２０〜図２５に示した数字キーが入力されると、図２６に示すように、前記キー処理部３００は数字と記号との両方を有するキーを割り当てる。前記記号は、前記[shift]キーが有効にされると入力することができる。従って、前記[shift]キーが有効にされていないと、図２６に示すように、数字「０」〜「９」は太字表示されて、それらの数字を入力できることを表示する。前記[shift]キーが有効にされると、図２７に示すように、前記記号は太字表示されて、前記記号を入力できることを示す。
【００７０】
よって、ユーザーは前記数字と記号をキーボードと同一のキーで入力でき、さらに前記入力された数字または記号を前記キー処理部３００が処理し、前記表示部上に出力する。
【００７１】
図２８は図２６に関連するコンピュータキーボードを図示するものである。
【００７２】
図２６に示したコンピュータキーボードの数字キーと記号キーは、図２８に示したキーボード上で太線表示されているキーである。
【００７３】
図２９と図３０は前記コンピュータキーボードの残りのキーの割り当てを図示するものである。
【００７４】
図１４、図２０〜図２５、図２６、及び図２７で前記[etc１]または[etc２]キーが入力されると、前記キー処理部３００は、図２９に示すように前記記号キーと前記コンピュータキーボードの残りのキーを割り当てる。異なる記号キーと残りのキーは、好ましくは、少なくとも前記キー選択部１００，２００の一部のキーに割り当てられる。しかしながら、同一記号キーと残りのキーを割り当てることも可能である。
【００７５】
図２９で２つの記号を持つキーは、前記[shift]キーをトグルすることによって有効にされるので、それらの１つを入力することもできるようになっている。つまり、図２９に示すように、前記[shift]キーが有効にされていないと、前記キー処理部３００は下部の記号を有効にするが、図３０に示すように、前記[shift]キーが有効にされると、前記キー処理部３００は上部の記号を有効にする。
【００７６】
よって、ユーザーは、図２９と図３０に示したキー配列を介して、割り当てられた記号キーならびに画面印刷[print screen]キー、スクロールロック[scroll lock]キー、一時停止[pause break]キー、タブ[tab]キー、及びエスケープ[esc]キーを入力することができる。前記[shift]キーに加えて、[ctrl]キー、[alt]キー及び[windows]キーなどのその他の「Combination（組み合わせ）」キーを有効にして、キーを入力することもできる。
【００７７】
図３１は図２９の第１キー選択部に関連するコンピュータキーボードを図示するものである。図３２は図２９の第２キー選択部に関連するコンピュータキーボードを図示するものである。
【００７８】
図２９に示したコンピュータキーボード上の残りのキーは、図３１と３２に示したキーボード上で太線表示されているキーである。
【００７９】
図３３は文字キーと、前記コンピュータキーボードの数字キーと記号キーの割り当てを図示するものである。
【００８０】
図１４に示した[ewq]キーまたは[num]キーが入力されると、前記キー処理部３００は、図３３に示すように、前記キーボードのアルファベットキーの一部を、少なくとも前記第１キー選択部１００の一部のキーに割り当て、前記キーボードの数字キーと記号キーを、少なくとも前記第２キー選択部２００の一部のキーに割り当てる。つまり、前記アルファベットは前記第１キー選択部１００を介して入力することができる一方、前記数字と記号は前記第２キー選択部２００を介して入力することができる。この場合、図８に示すように、前記アルファベットを前記第１キー選択部１００に割り当てることも可能である。また、他のアルファベットを割り当てるため、図３３で前記[ewq]キーまたは前記「Combination（組み合わせ）」キーを入力することも可能である。
【００８１】
前記「Combination（組み合わせ）」キーは、好ましくは、前記キーボードモードに割り当てられたままになっているので、常に他のキーとともに使用できる。
【００８２】
以下、補足機能の支援方法を説明する。
【００８３】
図３４〜図３８は割り当てられたシステムキーを図示するものである。
【００８４】
図１４に示した[system]キーが入力されると、図３４に示すように、前記キー処理部３００はハイレベルのシステム関連キーを、前記第１キー選択部１００に割り当てる。前記第２キー選択部２００は、前記ハイレベルのシステム関連キーの中から選択されたキーに対応する低レベルのシステム関連キーを割り当てるため、白紙状態に保たれる。前記ハイレベルのシステム関連キーの例には、オーディオキー、画面キー、ネットワークキー及び電源キーが含まれる。
【００８５】
図３５は割り当てられたオーディオ関連キーを図示するものである。
【００８６】
前記第１キー選択部１００に割り当てられた[audio]キーが入力されると、図２０に示すように、前記キー処理部３００は音量調整キーや電源キーなどのオーディオ関連キーを、前記第２キー選択部２００に割り当てる。
【００８７】
図３６は割り当てられた画面関連キーを図示するものである。
【００８８】
前記第１キー選択部１００に割り当てられた[screen]キーが入力されると、図３６に示すように、画面関連キー、輝度制御キー、プロジェクター接続キー、スクリーンセーバーキー、及び電源キーなどのキー処理部３００を、前記第２キー選択部２００に割り当てる。
【００８９】
図３７は割り当てられたネットワーク関連キーを図示するものである。
【００９０】
前記第１キー選択部１００に割り当てられた[network]キーが入力されると、図３７に示すように、前記キー処理部３００は、Ｂｌｕｅｔｏｏｔｈ（登録商標）、無線ＬＡＮ、及びネットワークグループなどのネットワーク関連キーを、前記第２キー選択部２００に割り当てる。
【００９１】
図３８は割り当てられた電源関連キーを図示するものである。
【００９２】
前記第１キー選択部１００に割り当てられた[power]キーが入力されると、図３８に示すように、前記キー処理部３００は、再起動、ログオフ、シャットダウン、スタンバイなどの電源関連キーを、前記第２キー選択部２００に割り当てる。
【００９３】
前記キー処理部３００は、図３５〜図３８に示した第２キー選択部２００に割り当てられたキーを処理する。
【００９４】
前述のシステム関連キーは、好ましくは所与の条件に応じて有効にされるかまたは無効にされる。
【００９５】
図３９は割り当てられたユーザー定義のアプリケーションキーを図示するものである。
【００９６】
図１４で前記[app]キーが入力されると、図３９に示すように、前記キー処理部３００はユーザー定義のアプリケーションキーを割り当て、キーが入力されるとアプリケーションを実行する。
【００９７】
図４０は割り当てられたユーザー定義のキーを図示するものである。
【００９８】
図１４で前記[custom]キーが入力されると、図４０に示すように、前記キー処理部３００は、マクロやバッチジョブなどのユーザー定義のキーを割り当てる。
【００９９】
図１４で前記[app]キーまたは[custom]キーが入力されると、前記キー処理部３００はアプリケーションキーを、前記第１キー選択部１００に割り当て、図４１に示すように、ユーザー定義のキーを前記第２キー選択部２００に割り当てる。
【０１００】
図１６、図１８、図２０〜図２５、図２６、図２７、図２９、図３０、図３３、図３４〜図３８、図３９、図４０、及び図４１で前記[keybd]キーが入力されると、図１４に示したキーボードモードで、前記キー処理部３００は、前記キー選択部１００，２００のキー割り当てを、前記デフォルトのキー配列に復帰させる。
【０１０１】
図１４、図１６、図１８、図２０〜図２５、図２６、図２７、図２９、図３０、図３３、図３４〜図３８、図３９、図４０と図４１で前記[text]キーが入力されると、前記キー処理部３００は、そのモードを前記キーボードモードから前記テキストモードに切り替える。この場合、前記キー処理部３２００は、前記キーボードモードに切り替える前の文字モードのキー配列に切り替えるか、または図８〜図１３における前記デフォルトのキー配列に切り替える。前記デフォルトのキー配列は図８に示したキーであっても良い。
【０１０２】
前記キー選択部１００，２００は、前記キーを相互に区別するため、異なる色のキーを持ってもよい。例えば、青色のキーは前記キー選択部１００，２００の一部のキーが他キーに再割り当てされることを示し、赤色のキーは「Combination（組み合わせ）」キーを示し、及び緑色キーは実際に入力されるキーを示すなどである。
【０１０３】
図４２は本発明の例示的実施形態に係るジョイスティック用キー配列を図示するものである。
【０１０４】
前記キー選択部は、その中央に３ｘ３配列を有し、前記３ｘ３配列キーの周囲に設けられた８のキーを持つ。
【０１０５】
図４３はジョイスティックにおける入力方法を図示するものである。
【０１０６】
前記ジョイスティックの第１ボタンは、３ｘ３キーを入力するために押されてもよく、その第２ボタンは、他のキーを入力するために押されてもよい。前記第１及び第２ボタンは、前記ジョイスティックを動かすことなしに、数字キー５または前記[last]キーを選択するために操作されてもよく、前記ジョイスティックはが対応する方向に動かされた後に、他のキーを選択するために操作されてもよい。
【０１０７】
本発明の実施形態に係る前述の方法は、ＣＤ−ＲＯＭ、ＲＡＭ、ＲＯＭ、フロッピー（登録商標）ディスク、ハードディスク、または磁気光学ディスクなどの任意の形態の記録媒体、または実行可能プログラムに体系化されたコンピュータコードなどの任意のコンピュータに読み込み可能な形態に格納してもよい。本発明の例示的実施形態の格納方法の説明は、当技術分野で公知であるので省略する。
【０１０８】
当業者であれば本発明の趣旨または範囲から逸脱することなく本発明の種々変更形態及び変更を行い得ることは明らかであろう。よって、特許請求の範囲及びその同等物の範囲から逸脱することがない限り、本発明には本発明の変更形態及び改造形態が含まれることを意図するものである。
【産業上の利用可能性】
【０１０９】
本発明は、文字を両手で簡便に入力するためと、限られた数のキーで、可能な限り多くの文字を入力するための方法と装置に効果的に適用することができる。
【図面の簡単な説明】
【０１１０】
本発明の理解をさらに深めるために提供され、本明細書の一部をなす添付図面は、本発明の実施形態を例示し、その説明と共に本発明の原理を説明する役割を果たすものである。
【図１】図１は、本発明の例示的実施形態に係るデュアル入力装置のブロック図である。
【図２】図２は本発明の例示的実施形態に係るデュアル入力装置を図示するものである。
【図３】図３は本発明の別の例示的実施形態に係るデュアル入力装置を図示するものである。
【図４】図４は本発明の別の例示的実施形態に係るデュアル入力装置を図示するものである。
【図５】図５は本発明の別の例示的実施形態に係るデュアル入力装置を図示するものである。
【図６】図６はデュアル入力リモートコントロールを図示するものである。
【図７】図７は別のデュアル入力リモートコントロールを図示するものである。
【図８】図８は、それぞれが本発明の例示的実施形態に係る５ｘ３配列を有する、第１及び第２キー選択部を図示するものである。
【図９】図９はテキストモードにおける文字モード変更を図示するものである。
【図１０】図１０はテキストモードにおける文字モード変更を図示するものである。
【図１１】図１１はテキストモードにおける文字モード変更を図示するものである。
【図１２】図１２はテキストモードにおける文字モード変更を図示するものである。
【図１３】図１３はテキストモードで割り当てられた記号キーを図示するものである。
【図１４】図１４はテキストモードがキーボードモードに変更される際に割り当てられるキーを図示するものである。
【図１５】図１５は図１４に関連するキーボードを図示するものである。
【図１６】図１６はキーボードの、割り当てられた機能キーを図示するものである。
【図１７】図１７は図１６に関連するキーボードを図示するものである。
【図１８】図１８はキーボードの、割り当てられた移動キーを図示するものである。
【図１９】図１９は図１８に関連するキーボードを図示するものである。
【図２０】図２０はキーボードの文字キーの割り当てを図示するものである。
【図２１】図２１はキーボードの文字キーの割り当てを図示するものである。
【図２２】図２２はキーボードの文字キーの割り当てを図示するものである。
【図２３】図２３はキーボードの文字キーの割り当てを図示するものである。
【図２４】図２４はキーボードの文字キーの割り当てを図示するものである。
【図２５】図２５はキーボードの文字キーの割り当てを図示するものである。
【図２６】図２６はキーボードの数字キーと記号キーの割り当てを図示するものである。
【図２７】図２７はキーボードの数字キーと記号キーの割り当てを図示するものである。
【図２８】図２８は図２６に関連するキーボードを図示するものである。
【図２９】図２９はキーボードの他のキーの割り当てを図示するものである。
【図３０】図３０はキーボードの他のキーの割り当てを図示するものである。
【図３１】図３１は図２９に示した第１キー選択部に関連するキーボードを図示するものである。
【図３２】図３２は図２９に示した第２キー選択部に関連するキーボードを図示するものである。
【図３３】図３３はキーボードの文字キー、数字キー、及び記号キーの割り当てを図示するものである。
【図３４】図３４は割り当てられたシステムキーを図示するものである。
【図３５】図３５は割り当てられたシステムキーを図示するものである。
【図３６】図３６は割り当てられたシステムキーを図示するものである。
【図３７】図３７は割り当てられたシステムキーを図示するものである。
【図３８】図３８は割り当てられたシステムキーを図示するものである。
【図３９】図３９は割り当てられたユーザー定義のアプリケーションキーを図示するものである。
【図４０】図４０は割り当てられたユーザー定義の機能キーを図示するものである。
【図４１】図４１は割り当てられたユーザー定義のアプリケーションと機能キーを図示するものである。
【図４２】図４２は本発明の例示的実施形態に係るジョイスティック用キー配列を図示するものである。
【図４３】図４３はジョイスティックにおける入力方法を図示するものである。
【図１】
2009532800.tif 000003
【図２】
2009532800.tif 000004
【図３】
2009532800.tif 000005
【図４】
2009532800.tif 000006
【図５】
2009532800.tif 000007
【図６】
2009532800.tif 000008
【図７】
2009532800.tif 000009
【図８】
2009532800.tif 000010
【図９】
2009532800.tif 000011
【図１０】
2009532800.tif 000012
【図１１】
2009532800.tif 000013
【図１２】
2009532800.tif 000014
【図１３】
2009532800.tif 000015
【図１４】
2009532800.tif 000016
【図１５】
2009532800.tif 000017
【図１６】
2009532800.tif 000018
【図１７】
2009532800.tif 000019
【図１８】
2009532800.tif 000020
【図１９】
2009532800.tif 000021
【図２０】
2009532800.tif 000022
【図２１】
2009532800.tif 000023
【図２２】
2009532800.tif 000024
【図２３】
2009532800.tif 000025
【図２４】
2009532800.tif 000026
【図２５】
2009532800.tif 000027
【図２６】
2009532800.tif 000028
【図２７】
2009532800.tif 000029
【図２８】
2009532800.tif 000030
【図２９】
2009532800.tif 000031
【図３０】
2009532800.tif 000032
【図３１】
2009532800.tif 000033
【図３２】
2009532800.tif 000034
【図３３】
2009532800.tif 000035
【図３４】
2009532800.tif 000036
【図３５】
2009532800.tif 000037
【図３６】
2009532800.tif 000038
【図３７】
2009532800.tif 000039
【図３８】
2009532800.tif 000040
【図３９】
2009532800.tif 000041
【図４０】
2009532800.tif 000042
【図４１】
2009532800.tif 000043
【図４２】
2009532800.tif 000044
【図４３】
2009532800.tif 000045
【国際調査報告】
2009532800.tif 000046
2009532800.tif 000047